(57)【要約】【課題】最小限の部品点数で釣糸案内体を保持することができ、コスト低減を図り大型化を回避する。【解決手段】スプール５Ａに釣糸Ｓを案内すべく釣糸案内体６０を左右往復動するレベルワインド装置５０と、スプール５Ａとレベルワインド装置５０との間で左右フレーム２ａ，２ｂ間に架け渡され、釣糸Ｓを案内するピラー７０と、を備え、レベルワインド装置５０は、ハンドル８の回転に連動して回転する螺軸５１と、螺軸５１を覆って左右フレーム２ａ，２ｂ間に軸周り回動可能に取り付けられる案内筒５５と、を有し、案内筒５５上に釣糸案内体６０が左右往復動可能に装着されており、案内筒５５の端部には、連結部材が取り付けられており、連結部材は、ピラー７０の端部に係合して案内筒５５を回り止め保持している構成とした。【選択図】図２
2015144568.tif 000002
【特許請求の範囲】
【請求項１】
リール本体の左右フレーム間に回転自在に支持されるスプールと、
釣糸が挿通される釣糸案内体を有し、前記スプールに釣糸を案内すべく前記釣糸案内体を左右往復動するレベルワインド装置と、
前記スプールと前記レベルワインド装置との間で前記左右フレーム間に架け渡され、釣糸を案内するピラーと、を備えた魚釣用リールであって、
前記レベルワインド装置は、ハンドルの回転に連動して回転する螺軸と、前記螺軸を覆って前記左右フレーム間に軸周り回動可能に取り付けられる案内筒と、を有し、前記案内筒上に前記釣糸案内体が左右往復動可能に装着されており、
前記案内筒の端部には、連結部材が取り付けられており、
前記連結部材は、前記ピラーの端部に係合して前記案内筒を回り止め保持していることを特徴とする魚釣用リール。
【請求項２】
前記スプールを動力伝達状態と動力遮断状態とに切り換えるクラッチ機構を備え、
前記連結部材は、
前記クラッチ機構に連結可能であり、
前記クラッチ機構に連結した場合に、前記クラッチ機構の切り換えによって前記案内筒が軸周りに回動するようになっており、
前記クラッチ機構に対して連結しない場合に、前記ピラーの端部に係合可能であることを特徴とする請求項１に記載の魚釣用リール。
【発明の詳細な説明】
【技術分野】
【０００１】
本発明は、スプール前方の側板間に釣糸案内体が備わる魚釣用リールに関する。
【背景技術】
【０００２】
従来、両軸受型タイプの魚釣用リールは、左右側板間に回転可能に支持されるスプールに対して釣糸を均等に巻回するために、レベルワインド装置を有している。このレベルワインド装置は、一方の側板側に回転可能に配設されるハンドルの巻き取り操作に連動して、スプール前方で左右に往復動する釣糸案内体を備えており、釣糸案内体に釣糸が挿通されることで、スプールに対して釣糸を平行に巻回することが可能となっている。
【０００３】
ところで、上記した釣糸案内体は、例えば、仕掛けをキャスティングするとき、釣糸が接触して抵抗となってしまい、仕掛けの飛距離を低下させるという問題がある。このような問題を解決するために、例えば、特許文献１には、釣糸案内体の釣糸案内部の形状を、上部では左右方向に横長形状にして釣糸放出時における釣糸挿通部とし、下部では中央を幅狭の溝部として釣糸巻き取り時の案内部とした構成が開示されている。
【０００４】
特許文献１では、クラッチの切換操作に連動して釣糸案内体が回動する構成とされている。釣糸放出時には、釣糸案内体が前方へ回動し、釣糸挿通部に釣糸が位置することで糸抵抗が軽減されるようになっている。また、釣糸巻き取り時には、釣糸案内体が後方へ回動し、上端後部で釣糸を抑えつつ溝部に釣糸が位置することで、溝部を通して釣糸が巻き取られるようになっている。
【先行技術文献】
【特許文献】
【０００５】
【特許文献１】特開２０１３−２４３９９７号
【発明の概要】
【発明が解決しようとする課題】
【０００６】
ところで、前記のような釣糸案内体が回動する構造の魚釣用リールにおいて、釣糸案内体が回動しない構造にして、廉価版の魚釣用リールにしたいという要望がある。
【０００７】
通常、釣糸案内体が回動しない構造の魚釣用リールでは、釣糸案内体の保持のために、回り止め部品や位置決め部品等を用いている。したがって、釣糸案内体が回動する構造の魚釣用リールを、釣糸案内体が回動しない構造にするためには、前記のような複数の部品を別途追加する必要がある。このため、部品点数が増加するとともに部品配置スペースが増加してしまい、コストの上昇や大型化に繋がるという課題があった。
なお、このことは、一般的な釣糸案内体が回動しない構造の魚釣用リールにおいても共通の課題である。
【０００８】
本発明は、上記した課題を解決するものであり、最小限の部品点数で釣糸案内体を保持することができ、コスト低減を図り大型化を回避することができる魚釣用リールを提供することを目的とする。
【課題を解決するための手段】
【０００９】
上記した目的を達成するために、本発明に係る魚釣用リールは、リール本体の左右フレーム間に回転自在に支持されるスプールと、釣糸が挿通される釣糸案内体を有し、前記スプールに釣糸を案内すべく前記釣糸案内体を左右往復動するレベルワインド装置と、前記スプールと前記レベルワインド装置との間で前記左右フレーム間に架け渡され、釣糸を案内するピラーと、を備えた魚釣用リールであって、前記レベルワインド装置は、ハンドルの回転に連動して回転する螺軸と、前記螺軸を覆って前記側板間に軸周り回動可能に取り付けられる案内筒と、を有し、前記案内筒上に前記釣糸案内体が左右往復動可能に装着されており、前記案内筒の端部には、連結部材が取り付けられており、前記連結部材は、前記ピラーの端部に係合して前記案内筒を回り止め保持していることを特徴とする。
【００１０】
本発明の魚釣用リールによれば、左右フレーム間に配置されるピラーの端部に連結部材を係合することによって案内筒を固定してこれを回り止めしているので、従来のような保持のための部品を別途用いずに済む。
【００１１】
また、本発明は、前記スプールを動力伝達状態と動力遮断状態とに切り換えるクラッチ機構を備え、前記連結部材は、前記クラッチ機構に連結可能であり、前記クラッチ機構に連結した場合に、前記クラッチ機構の切り換えによって前記案内筒が軸周りに回動するようになっており、前記クラッチ機構に対して連結しない場合に、前記ピラーの端部に係合可能であることを特徴とする。
【００１２】
この構成では、クラッチ機構に対して連結部材を連結せずに、ピラーの端部に連結部材を係合することによって、案内筒（釣糸案内体）が回動しない構造の魚釣用リールとすることができる。つまり、共通の部品を用いつつ連結部材の連結状態（係合状態）を変えるという簡単な作業によって、釣糸案内体が回動する構造の魚釣用リールから釣糸案内体が回動しない構造の魚釣用リールとすることができる。
【発明の効果】
【００１３】
本発明によれば、従来のような保持のための部品を別途用いずに案内筒を回り止め保持しているので、最小限の部品点数で釣糸案内体が回動しない構造の魚釣用リールとすることができる。したがって、釣糸案内体が回動しない構造を有しながら、コスト低減を図り大型化を回避することのできる魚釣用リールが得られる。
【００１４】
また、クラッチ機構に対して連結部材を連結しない場合に、ピラーの端部に連結部材が係合可能である構成では、共通の部品を使用しながら連結部材の連結状態（係合状態）を変えるという簡単な作業によって、釣糸案内体が回動する構造の魚釣用リールから釣糸案内体が回動しない構造の魚釣用リールとすることができるので、最小限の部品点数で魚釣用リールの仕様変更を実現することができる。したがって、仕様変更に伴うコスト低減および大型化を回避することができる。
【図面の簡単な説明】
【００１５】
【図１】本発明の第１実施形態に係る魚釣用リールを示し、釣糸案内体部分を露出させた平面図である。
【図２】図１に示す魚釣用リールの右フレームにおける構成を示す側面図（クラッチＯＮ状態）である。
【図３】同じく、右フレームにおける構成を示す側面図（クラッチＯＦＦ状態）である。
【図４】案内筒周りの構造を示した断面図である。
【図５】図１に示す魚釣用リールの縦断面図であり、釣糸案内体が釣糸巻き取り状態（クラッチＯＮ状態）にあるときを示す図である。
【図６】釣糸案内体が回動する構造の魚釣用リールの右フレームにおける構成を示す側面図（クラッチＯＮ状態）である。
【図７】釣糸案内体が回動する構造の魚釣用リールの右フレームにおける構成を示す側面図（クラッチＯＦＦ状態）である。
【図８】釣糸案内体が回動する構造の魚釣用リールの縦断面図であり、釣糸案内体が釣糸巻き取り状態（クラッチＯＮ状態）にあるときを示す図である。
【図９】（ａ）は本発明の第２実施形態に係る魚釣用リールの右フレームにおける要部の構成を示す側面図、（ｂ）は比較例の魚釣用リールの右フレームにおける要部の構成を示す側面図である。
【発明を実施するための形態】
【００１６】
以下、本発明に係る魚釣用リールの実施形態について図面を参照して説明する。なお、以下の説明において、「前後」「左右」を言うときは、図１に示した方向を基準とし、「上下」を言うときは、図２等に示した方向を基準とする。なお、説明において、同一の要素には同一の符号を用い、重複する説明は省略する。
【００１７】
（第１実施形態）
本実施形態に係る魚釣用リールは、図１に示すように、左右側板１Ａ，１Ｂを備えたリール本体１を有している。左右側板１Ａ，１Ｂは、左右のフレーム２ａ，２ｂを左右カバー３ａ，３ｂで覆って構成される。リール本体１には、左右側板１Ａ，１Ｂ間に位置し、図示しない釣竿に装着されるリール脚１Ｃが一体形成されている。また、左右のフレーム２ａ，２ｂ間には、スプール軸５が軸受を介して回転可能に支持されており、スプール軸５には、釣糸Ｓが巻回されるスプール５Ａが一体的に固定されている。さらに、左右側板１Ａ，１Ｂ間には、スプール５Ａに対して上方側に、指を載置可能なサムレスト１Ｄが設けられている。
【００１８】
本実施形態では、スプール５Ａを回転駆動するハンドル８を右側板１Ｂ側に設置している。右フレーム２ｂと右カバー３ｂとの間には空間が形成され、この空間には、ハンドル８の回転駆動力をスプール軸５に伝達する公知の駆動力伝達機構１０が配設されている。また、右フレーム２ｂと右カバー３ｂとの間には、スプール軸５を動力伝達状態と動力遮断状態に切り換える公知のクラッチ機構２０が配設されている。クラッチ機構２０は、スプール５Ａの後方側の左右側板１Ａ，１Ｂ間に配設されたクラッチ切り換え操作部材（以下、操作部材と称する）２１を押し下げ操作することで、クラッチＯＮ状態（動力伝達状態であり釣糸巻き取り状態）からクラッチＯＦＦ状態（動力遮断状態であり釣糸放出状態）に切り換えるようになっている。なお、クラッチＯＦＦ状態からクラッチＯＮ状態への復帰は、後記する自動復帰機構３０（図２参照）によってハンドル８を回転操作することで行うことが可能である。
【００１９】
駆動力伝達機構１０は、ハンドル８のハンドル軸８ａにドラグ装置８ｂと関連して装着された駆動歯車１１と、この駆動歯車１１に噛合するピニオン１２とを備えている。駆動歯車１１は、釣糸巻き取り時にハンドル８が回転操作されると、図２中Ｘ１方向（時計回り）に回転する。また、駆動歯車１１は、ドラグ装置８ｂにより付与されたドラグ力に抗して釣糸Ｓが引き出された際に、図２中Ｙ１方向（反時計回り）に回転するようになっている。
ハンドル軸８ａは、公知のように、右カバー３ｂとの間に設けられた一方向クラッチ（楔作用を利用した転がり式一方向クラッチ）Ｋにより、釣糸巻き取り方向の回転を許容し、釣糸繰り出しに伴う逆回転を防止する逆回転防止機構を構成している。
【００２０】
ピニオン１２は、スプール軸５と同軸上に設置されており、ピニオン軸（スプール軸５であってもよい）１２ａに沿って軸方向に移動可能となっている。また、ピニオン１２の外周には、円周溝１２ｂが形成されており、この円周溝１２ｂに、後記するクラッチ機構２０のヨーク２２（図２参照）が係合して、ピニオン１２を軸方向に移動させるように構成されている。すなわち、ピニオン１２が軸方向に移動することで、スプール軸５との間で継脱がなされ、動力伝達状態（クラッチＯＮ）／動力遮断状態（クラッチＯＦＦ）に切り換えられるように構成されている。
【００２１】
クラッチ機構２０は、図２に示すように、右フレーム２ｂに対して回動可能に支持されるクラッチプレート２５を備えている。クラッチプレート２５は、振り分けバネ２３によって、図２に示す動力伝達状態（クラッチＯＮ状態）と、図３に示す動力遮断状態（クラッチＯＦＦ状態）に振り分け保持される。クラッチプレート２５は、右フレーム２ｂに上下方向に形成された連結孔２ｄを介して操作部材２１と連結されており、クラッチプレート２５に形成された長孔２５ａに、右フレーム２ｂに突出するように設けられたピン２ｅが挿入されて、その回動駆動が案内される。
【００２２】
クラッチプレート２５の表面には、一対のカム面２６が形成されている。一対のカム面２６は、ピニオン１２の円周溝１２ｂ（図１参照）に係合したヨーク２２と係合可能である。ヨーク２２の先端側は、右フレーム２ｂに突設された支持ピン２７によって保持されており、ヨーク２２は、支持ピン２７に配設されたバネ部材２７ａによって常時、スプール軸５側に付勢されている。なお、図２では、ヨーク２２がバネ部材２７ａによってスプール軸５側に付勢された状態を示しており、このとき、ピニオン１２はスプール軸５の端部に形成されている係合部５ａ（図１参照）に嵌合してクラッチＯＮ状態となっている。
【００２３】
クラッチプレート２５は、操作部材２１が、図３の白抜き矢印に示すように押下げ操作されると反時計回り方向に回動する。クラッチプレート２５は、この回動により、カム面２６およびヨーク２２を介して、ピニオン１２（図１参照）を右側にバネ部材２７ａの付勢力に抗して移動し、スプール軸５の端部に形成されている係合部５ａ（図１参照）から離脱させ、クラッチＯＦＦ状態に切り換える。なお、この状態は、振り分けバネ２３によって保持される。
【００２４】
また、クラッチプレート２５には、図２に示すように、クラッチをＯＦＦ状態からクラッチＯＮ状態にする自動復帰機構３０のキック部材３１が揺動可能に連結されている。自動復帰機構３０は、キック部材３１と、ハンドル軸８ａに回り止め固定されるラチェット３２とを備えている。キック部材３１は、クラッチＯＮ状態からクラッチＯＦＦ状態に切り換えられると、図３に示すように、ラチェット３２の回転軌道内に侵入するように配置される。このため、クラッチＯＦＦ状態において、ハンドル８を巻き取り操作すると、ラチェット３２の回転によりキック部材３１はキックされて上方に移動し、自動的にクラッチプレート２５を（時計回り方に回転して）クラッチＯＮ状態に復帰させる。クラッチＯＮ状態は振り分けバネ２３のバネ力で保持される。なお、クラッチの復帰は、操作部材２１の押し上げ操作でも行うことが可能である。
【００２５】
左右側板１Ａ，１Ｂ間には、図１に示すように、スプール５Ａの釣糸繰出し方向側（前側）に、レベルワインド装置５０が配設されている。このレベルワインド装置５０には、釣糸Ｓが挿通される釣糸案内体６０が備わる。釣糸案内体６０は、ハンドル８を回転操作することで左右に往復動するよう構成されており、釣糸Ｓの巻き取り操作に伴って、スプール５Ａに対して釣糸Ｓを均等に巻回させる機能を有する。
【００２６】
釣糸案内体６０は、軸受５２（図４参照）を介して左右側板１Ａ，１Ｂ間に回動可能に支持される螺軸（ウォームシャフト）５１によって、左右往復駆動される。螺軸５１は、駆動力伝達機構１０により駆動される。
螺軸５１の右フレーム２ｂ側には、図４に示すように、駆動歯車１１（図１参照）と隣接して入力ギャ５３が設けられている。入力ギャ５３は、ハンドル軸８ａと一体的に回転する連結ギャ８ｃ（図２参照）と噛合している。螺軸５１は、連結ギャ８ｃおよび入力ギャ５３を介してハンドル８の回転駆動と同期して回転駆動される。
【００２７】
螺軸５１は、図４に示すように、左右側板１Ａ，１Ｂ間に回動可能に保持される案内筒（管状体）５５内に収容されている。案内筒５５の外面には、軸方向に延出する長孔５５ａが形成されている。長孔５５ａは、螺軸５１の表面に形成された螺旋溝５１ａを軸方向に沿って部分的に露出させている。この長孔５５ａを通じて釣糸案内体６０に設けられた摺動子６１（図５参照）が螺旋溝５１ａに係合される。
【００２８】
釣糸案内体６０は、図５に示すように、釣糸挿通部６０Ａと保持部６０Ｂを備えており、保持部６０Ｂが案内筒５５を囲繞するように設けられている。釣糸挿通部６０Ａは、図示しない固定ネジを締め付けることによって保持部６０Ｂに対して固定されている。
保持部６０Ｂは、その内部に摺動子６１を保持している。摺動子６１は、長孔５５ａを介して螺旋溝５１ａと係合している。摺動子６１は、袋ナット６２によって、保持部６０Ｂに対して固定される。また、釣糸案内体６０は、螺軸５１の回転によって、螺旋溝５１ａと摺動子６１との係合関係により、軸方向に沿って移動しつつ、案内筒５５の回りを回転しないように、回り止めされている。本実施形態では、案内筒５５の外周に軸方向に沿って延出する回り止め部５５ｂが形成されており、この回り止め部５５ｂに対して、保持部６０Ｂの係合部６４を係合させることで、回り止め装着されている。具体的に、回り止め部５５ｂは、案内筒５５の外周の軸方向に延出する突起で構成され、周方向に１８０°間隔で一対設けられている。係合部６４は、そのような突起に係合する凹部として構成されている。
【００２９】
案内筒５５の端部には、図４に示すように、連結部材としての回動プレート５９が取り付けられている。回動プレート５９は、右フレーム２ｂにおいて螺軸５１が支持される部分に保持され、右フレーム２ｂの内面側において案内筒５５と回り止め固定されている。回動プレート５９には、径方向外方に突出する図示しない凸部が形成されており、この凸部に、案内筒５５の端部（内周）に形成された図示しない凹部が嵌合することで、両者は、右フレーム２ｂの内面側で固定された状態（一体回動可能な状態）となっている。なお、回動プレート５９は案内筒５５に一体成形してもよい。
【００３０】
回動プレート５９は、螺軸５１を回転可能に支持する軸受５２の外輪と右フレーム２ｂとの間で回動可能に支持されている。回動プレート５９には、右フレーム２ｂの外面２ｂ１に沿って延出する連結片５９ａが形成されている。連結片５９ａには、連結片５９ａの延出方向に延びる長孔状の係合孔５９ｂが形成されている。係合孔５９ｂは、図３，図４に示すように、ピラー７０の右端部７１に係合している。
【００３１】
ピラー７０は、図１に示すように、平面視でスプール５Ａとレベルワインド装置５０との間に配置される円柱状の棒状体とされている。ピラー７０は、左右フレーム２ａ，２ｂ間に架け渡されて取り付けられており、スプール５Ａから繰り出される釣糸Ｓを案内し、あるいはスプール５Ａへ巻き取られる釣糸Ｓを案内する。
【００３２】
ピラー７０の右端部７１は、図４に示すように、小径とされており、右フレーム２ｂに形成される貫通孔２ｂ２を貫通して外面２ｂ１の側方に突出配置されている。右端部７１には、回動プレート５９の連結片５９ａの係合孔５９ｂが係合される。この係合によって、回動プレート５９が周り止めされ（固定され）、案内筒５５が右フレーム２ｂに対して回り止めされた状態に保持（固定）される。
なお、案内筒５５がこのように回り止めされた状態で、図２に示すように、釣糸案内体６０の釣糸挿通部６０Ａは、釣糸Ｓ（図１参照）の繰り出しおよび巻き取りに最適となる所定の位置に固定される。
【００３３】
ここで、回動プレート５９は、図６，図７に示すような魚釣用リールに用いられる共通の部品である。この魚釣用リールでは、クラッチ機構２０の切換操作に連動して釣糸案内体６５が前後方向に回動する構成となっている。つまり、回動プレート５９は、図６に示すように、ピラー７０の右端部７１に係合しておらず、クラッチ機構２０に連結している。
【００３４】
具体的に、回動プレート５９は、クラッチプレート２５に設けられた突片２５ｂに連結している。突片２５ｂは、舌片状を呈しており、クラッチプレート２５から前方の回動プレート５９に向けて延出している。突片２５ｂの先端には、右フレーム２ｂ側に向けて突出する係合突起２５ｃが一体形成されている。係合突起２５ｃは、回動プレート５９の連結片５９ａの係合孔５９ｂに遊挿されている。
これにより、回動プレート５９は、図６および図７に示すように、クラッチプレート２５の回動に伴って螺軸５１の軸芯を中心に回動可能であり、振り分けバネ２３によって、釣糸巻き取り状態と釣糸放出状態との２つの位置で切り換えられるようになっている。
【００３５】
釣糸案内体６５は、回動プレート５９を介して案内筒５５が回動駆動されることで、スプール５Ａの前方において前後方向に回動する。釣糸案内体６５には、図８に示すように、前記した固定型の釣糸挿通部６０Ａ（図５参照）に代えて、上部が左右幅広とされたフレーム体６０ｆとして構成される釣糸挿通部６５Ａが備わる。なお、釣糸挿通部６５Ａへの付け替えは、図示しない固定ネジによる固定を解除することにより容易に行うことができる。保持部６０Ｂは前記した釣糸案内体６０（図５参照）と共通の部品である。
【００３６】
釣糸挿通部６５Ａは、左右方向に幅狭（細溝状）とされた幅狭案内部６７と、その幅狭案内部６７の上方側で、略対称となるように左右方向に拡がる幅広案内部６８とを備えている。釣糸案内体６５は、図６に示すクラッチＯＮ状態において後方へ回動し、上端後部６９で釣糸Ｓを抑えつつ幅狭案内部６７で釣糸Ｓを案内する。これによって、幅狭案内部６７を通して釣糸Ｓが巻き取られる。また、図７に示すクラッチＯＦＦ状態において、釣糸案内体６５は前方へ回動し、幅広案内部６８で釣糸Ｓを案内する。これにより、釣糸放出時の糸抵抗が軽減されるようになっている。
【００３７】
以上のように、回動プレート５９をクラッチ機構２０側に連結することにより、図６〜図８に示すように、クラッチの切換操作に連動して釣糸案内体６５が回動する構成の魚釣用リールとすることができる。また、クラッチ機構２０側に対して回動プレート５９を連結しない場合に、回動プレート５９をピラー７０の右端部７１に係合することで、釣糸案内体６０が回動しない廉価版の魚釣用リールとすることができる（図１〜図５参照）。
つまり、共通の部品とされた回動プレート５９の取付位置（連結状態）を変更することによって、仕様の異なる二つの魚釣用リールとすることができる。
【００３８】
以上説明した本実施形態の魚釣用リールによれば、左右フレーム２ａ，２ｂ間に配置されるピラー７０の右端部７１に回動プレート５９を係合することによって案内筒５５が回り止めされる（釣糸案内体６０が回り止め保持される）ため、従来のような保持のための部品を別途用いる必要がなく、最小限の部品点数で釣糸案内体６０を保持することができる。
したがって、案内筒５５を回り止めするために部品点数が増加することがなく、また、部品配置スペースが増加することもないので、仕様変更に伴うコスト低減や大型化を回避することができる。
【００３９】
また、クラッチ機構２０に対して回動プレート５９を連結しない場合に、ピラー７０の右端部７１へ回動プレート５９を係合するという簡単な作業で、案内筒５５（釣糸案内体６５）が回動する構造の魚釣用リールから案内筒５５（釣糸案内体６０）が回動しない構造の魚釣用リールに仕様変更することができる。したがって、最小限の部品点数で魚釣用リールの仕様変更を実現することができ、仕様変更に伴うコスト低減および大型化を回避することができる。
【００４０】
（第２実施形態）
図９を参照して本発明の第２実施形態の魚釣用リールについて説明する。本実施形態では、釣糸案内体（不図示）が回動しない構造の魚釣用リールにおいて、ピラー７０を用いて案内筒５５を周り止め保持している。
【００４１】
図９（ａ）に示すように、案内筒５５は、前記実施形態と同様に、左右フレーム２ａ，２ｂ間（図では右フレーム２ｂのみ図示）に回動可能に支持されている。案内筒５５の右端部には、連結部材５９１が取り付けられている。連結部材５９１は、第１実施形態で説明した回動プレート５９に相当する部材であり、端部に係合孔５９４が形成されている。係合孔５９４は、右フレーム２ｂに突出配置されたピラー７０の右端部７１に係合されている。
係合孔５９４をピラー７０の右端部７１に係合することで、連結部材５９１を介して右フレーム２ｂに案内筒５５が回り止め保持される。これによって釣糸案内体が回動しない状態に保持される。
【００４２】
図９（ｂ）は比較例の魚釣用リールであり、連結部材５９１を固定するためのネジ穴５９３を右フレーム２ｂに形成してある。連結部材５９１は、係合孔５９４を通じて挿入したネジ５９５をネジ穴５９３に螺合することで、右フレーム２ｂに固定される。この連結部材５９１の固定によって、右フレーム２ｂに案内筒５５が回り止め保持される。
【００４３】
この比較例では、連結部材５９１を固定するために、部品としてネジ５９５が必要であり、また、ネジ５９５の締め付け作業が必要であった。
これに対し、本実施形態では、ピラー７０の右端部７１に連結部材５９１を係合すればよいので、固定のためのネジ５９５を排除することができ最小限の部品点数で釣糸案内体を保持することができる。したがって、コストの低減を図ることができる。また、ネジ穴５９４を形成する必要がなく、その分、右フレーム２ｂの厚みを小さくすることができるので、右フレーム２ｂの大型化を回避することができる。
【００４４】
本実施形態においても、最小限の部品点数で釣糸案内体を保持することができ、コスト低減を図り大型化を回避することのできる魚釣用リールが得られる。
【００４５】
以上、本発明の実施形態について説明したが、本発明は、上記した実施形態に限定されることはなく、種々変形することが可能である。
例えば、前記第１実施形態で示した回動プレート５９は、ピラー７０の右端部７１に係合可能な形状を有していればよく、種々の形状のものを採用することができる。
また、ピラー７０は、平面視でスプール５Ａに重なる位置やレベルワインド装置５０に重なる位置に設けられていてもよい。
【符号の説明】
【００４６】
１      リール本体
２ａ，２ｂ    左右フレーム
５Ａ    スプール
５ａ    係合部
８      ハンドル
２０    クラッチ機構
５０    レベルワインド装置
５１    螺軸
５５    案内筒
５９    回動プレート（連結部材）
６０    釣糸案内体
７０    ピラー
７１    右端部（端部）
５９１  連結部材
Ｓ      釣糸
【図１】
2015144568.tif 000003
【図２】
2015144568.tif 000004
【図３】
2015144568.tif 000005
【図４】
2015144568.tif 000006
【図５】
2015144568.tif 000007
【図６】
2015144568.tif 000008
【図７】
2015144568.tif 000009
【図８】
2015144568.tif 000010
【図９】
2015144568.tif 000011